(57)【要約】【課題】壁面材に金網を用いる土壁工法において、作業者の転落防止の為、容易に着脱可能なロープ安全柵とそのロープ支柱を提供する。【解決手段】壁面材金網に、ロープ支柱下部に設けた引っ掛け爪２が金網下部を挟持しロープ支柱下端を固定する、引掛け挟持固定とすることで作業進捗での、着脱が容易となる、金網上部はクランプにて緊結固定としている、ロープ支柱上端の掛着部は、支柱両側部にロープ係止のＵ型フック３ａ、３ｂを設け、支柱両側部中央にロープ水平線より下方にロープたるみ調整金具４、を設ける構造としている。【選択図】図１
2008144563.tif 000002
【特許請求の範囲】
【請求項１】
金網仕様の補強土壁壁面材に取り付ける、安全柵ロープ支柱であって、支柱下部を固定する引っ掛け爪と、支柱上端部に設けるロープ係止部とを、備えた安全柵ロープ支柱。
【請求項２】
前記引っ掛け爪部を上下複数段に設けたことを特徴とする請求項１記載の安全柵ロープ支柱。
【請求項３】
前記引っ掛け部が支柱とは別体に成形されたもので、支柱下部と連結、着脱可能とする支柱受け金具が設けられていることを特徴とする、請求項１ないし２のいずれか１項に記載された安全柵ロープ支柱。
【請求項４】
前記支柱に、折曲げ部を設け、施工法面勾配を自由に調節できる、傾斜調節支保部材を備えた請求項１記載の安全柵ロープ支柱。
【請求項５】
前記支柱下端部金網接地面に弾性体を設けた請求項１、２、４、記載の安全柵ロープ支柱。
【請求項６】
前記支柱上部中空軸上端部ロープ係止部がロープたるみ緊張機能を備えることを特徴とする請求項１〜５のいずれか１項に記載の安全柵ロープ支柱。
【発明の詳細な説明】
【技術分野】
【０００１】本発明は、補強土壁の金網壁面材使用の工事において、容易に設けられる補強土壁用、安全柵ロープ支柱に関するものである。
【背景技術】
【０００２】従来は、土壁工事前面に、単管パイプ等で足場を形成する方法、又は親綱支柱として（例えば特許文献１）があるが、いずれも土壁工事（金網壁面材）の施工に於いては不向きである。
【特許文献１】特許公開  ２００４−２１８２４５
【発明が解決しようとする課題】
【０００３】前記の単管パイプを用いた安全柵は、支柱となる建地単管が作業面より突出する為、作業の妨げとなり、作業歩掛かりも多大となる。在来の親綱支柱も、その支柱下端部のクランプねじにて締め付け固定するものであり、金網壁面材には使用不適である。その為この工種の中小規模工事の施工現場では、不安全な作業が日常化している。従って、本発明はこれらの危険作業から、労働者の作業安全の確保を提供することを目的とするものである。
【問題を解決する為の手段】
【０００４】上記した問題点を解消する為の本発明を後述する実施形態の参照符号を付して示すと、金網仕様の補強土壁壁面材に取り付ける、安全柵ロープ支柱であって１ａの支柱下部に金網壁面材下部を挟持固定する引掛けフック２と金網壁面材上部を緊結固定するクランプ５と、支柱上端部に設けるロープ掛着部３ａ，３ｂ，４を備える構成となっている。
【０００５】具体的には、支柱下部の引掛けフック２は被引掛け部材の金網を確実に堅固に挟持固定できることが好ましく、ここでは二本爪の形状としているが、一本爪、羽子板状、上下複数段の形状であっても構はない、又フック部２を別体成形し１ａの支柱下部を連結、結合する支持受け金具を取り付ける構造としてもよい。
【０００６】請求項４の発明は前記支柱の、壁面材接地部と支柱中空軸が工事施工勾配を自在に調整できる傾斜調節支保部材を備えるものである。
【０００７】請求項５は１ａ支柱下部の金網壁面材との接触部に弾性体を設けると、化粧被覆金網の表面を傷つけることなく堅固に支柱の固定が出来る。
【０００８】請求項６のロープ掛着部は支柱上端部に取り付けられたものであって、支柱両側に設けられたＵ型フック３ａ，３ｂ，のロープ把持金具と前面下に設けられた４のロープたるみ調節金具とから構成されている。
【発明の効果】
【０００８】本発明は、金網仕様の補強土壁工事において、その作業内部、施工面内より下方向の引っ掛け爪を壁面材金網に挟持固定、その上部をクランプ固定と言う簡便な作業工程で行える。上段作業の盛代え時の取り払いも、その施工基面上より上方向に支柱を引き上げることができるので、架け払い作業が容易に行える。又ロープ柵形成の一大欠点である支柱間のロープたるみが個々のどの支柱においても、その緊張が可能となる、その上ロープ把持部は、はずれを防止する形状としているためより安全である。
【発明を実施する為の最良の形態】
【０００９】以下、本発明の実施の形態を添付図に基づいて説明すると、１ａは丸パイプ材から成る支柱本体下部であり、土壁金網壁面に接地する部分である、２は支柱本体１ａの下端（前側）に設けた金網引掛け用、Ｕ型フックである。５は壁面金網を緊結固定するクランプであり金網引掛け部６と固着ねじ７で構成されてなる、６の先端部に突起を設け、より確実に挟持固定できる形状としている、その材料を板材１枚加工としているが、丸鋼等でもよく、要するに確実に堅固に挟持固定出来ればこの形状に限らない、ここでは金網交差部２点を挟持固定としているが、５のクランプを上下対向に抱合わせて４点を挟持固定する形状であっても構わない。１ｂは支柱本体上部であり３ａ，３ｂ，４はその上端部に設けられたロープ掛着部である、３ａ，３ｂ，のロープ把持金具は上端部両側に設けられている、その下方前側に下方向に向けてロープたるみ調節金具４が付設されている、把持金具３ａ，３ｂの正面視に於いて、支柱１ｂと３ａ，３ｂの間隙はＵ型形状とし、その頂点部を丸型フック形状としてロープ径間隙を保持して１ｂ支柱と平行に金具取付部より下方まで延出している。ロープたるみ調節金具４は９の溝部を上下にスライドするように形成され締結用固着ねじ８にて所定の位置で固定される、４のロープ把持金具及び固着ねじ８のメスねじは１ｂの支柱内側面の板に一体として溶接にて固着されている、この板の左右両側面の支柱内部に支柱肉厚を利用してコの字形溝を形成している。この１ｂ支柱上端掛着部は支柱本体とは別に製造して支柱上端に配設してもよい。
【００１０】金網引掛け部２は支柱本体１ａと２の爪部の間隙に金網を引掛け挟持して固定するものである。この爪部２を上下複数段備えたもの又この２部分を別体として成形し１ａ本体支柱接続部に連結、着脱可能な凸部を具備した支柱受け金具が設けられたものであって、安全柵ロープ支柱組立作業に先行して壁面材金網に取り付けられるように構成してもよい。
【００１１】傾斜調節支保部材４は、支柱本体１ａ，１ｂ，に設けられたねじ孔１２ａ，１２ｂを利用してその角度が自在に調節できる形状としている。本発明は、以上の構成より成り立っている。
【００１２】本発明を使用するときは、１ａの支柱下部下端部に設けた２の引っ掛け爪を壁面材金網に引っ掛ける、次に５の支柱下部上端のクランプにて壁面材金網上端部をねじ締め緊結固定とする、次に１ｂ支柱上端部のロープ掛着部にロープを挿通する、４の調節部を下げて各支柱間のロープたるみを取り８の固着ねじを締める、この簡易な作業動作のみにて、ロープ安全柵が仮設できる。
【図面の簡単な説明】
【００１３】
【図１】本発明の側面図
【図２】本発明の支柱下部斜視図
【図３】本発明の支柱上部斜視図
【符号の説明】
【００１４】  １ａ  支柱下部
１ｂ  支柱上部
２    引掛け爪
３ａ  ロープ把持金具
３ｂ  ロープ把持金具
４    ロープたるみ調整金具
５    金網固定用クランプ
６    金網固定用クランプ先端突起部
７    金網固定用クランプ固着ねじ
８    ロープたるみ調整金具固着ねじ
９    ロープたるみ調整金具用溝
１０    安全ロープ
１１    勾配調整支保材
１２ａ  勾配調整支保材用ねじ孔
１２ｂ  勾配調整支保材用ねじ孔
１３    壁面材、金網
【図１】
2008144563.tif 000003
【図２】
2008144563.tif 000004
【図３】
2008144563.tif 000005